(57)【要約】【課題】排紙ストッパを備える排紙装置およびにおいて、排紙された用紙に対するアクセスのし易さを向上できる技術を提供する。【解決手段】用紙Ｓを排紙する排紙ローラ６と、排紙ローラ６により排紙された用紙Ｓを支持する排紙トレイ２Ａと、排紙トレイ２Ａにおける排紙方向下流側であって排紙方向と直交する幅方向中央部に排紙トレイ２Ａから突出するように設けられ、排紙トレイ２Ａに排紙された用紙Ｓと当接可能な排紙ストッパ７とを備え、排紙ストッパ７は、排紙トレイ２Ａに支持される基部７１と、基部７１における幅方向の左端部から基部７１よりも上方に突出する第１延長部７２と、基部７２における幅方向の右端部から基部７１よりも上方に突出する第２延長部７３とを有し、第１延長部７２と第２延長部７３との間にユーザがアクセス可能な隙間Ｇ１を有している。【選択図】図１
2020117383.tif 000002
【特許請求の範囲】
【請求項１】
用紙を排紙する排紙ローラと、
前記排紙ローラにより排紙された用紙を支持する排紙トレイと、
前記排紙トレイにおける排紙方向下流側であって前記排紙方向と直交する幅方向中央部に前記排紙トレイから突出するように設けられ、前記排紙トレイに排紙された用紙と当接可能な排紙ストッパとを備え、
前記排紙ストッパは、
前記排紙トレイに支持される基部と、前記基部における前記幅方向一端部から前記基部よりも上方に突出する第１延長部と、前記基部における前記幅方向他端部から前記基部よりも上方に突出する第２延長部とを有し、
前記第１延長部と前記第２延長部との間にユーザがアクセス可能な隙間を有している
ことを特徴とする排紙装置。
【請求項２】
前記基部は、前記排紙トレイに回動可能に支持される回転軸部を有し、
排紙ストッパは、前記回転軸部を中心として回動することにより、前記排紙トレイから前記排紙方向下流側に突出する突出位置と、前記排紙トレイと重なる位置に収容される収容位置とに変位可能である
ことを特徴とする請求項１に記載の排紙装置。
【請求項３】
前記排紙ストッパが前記突出位置にあるときに、前記第１延長部と前記第２延長部との間に位置する前記基部の最も高い位置に配置される第１領域は、前記回動軸部よりも高い位置かつ前記排紙トレイの用紙支持面よりも高い位置にある
ことを特徴とする請求項２に記載の排紙装置。
【請求項４】
前記排紙トレイは、前記排紙ストッパが前記突出位置にあるときの前記第１領域よりも前記排紙方向下流側に配置され前記排紙方向上流側に向けて高くなる傾斜面を有し、
前記傾斜面において最も高い位置に配置される第２領域は、前記第１領域よりも高い位置にある
ことを特徴とする請求項３に記載の排紙装置。
【請求項５】
前記排紙トレイは、前記収容位置にある前記排紙ストッパの前記第１延長部と対向する収容面を有し、
前記排紙ストッパの前記回動軸部は、前記収容面よりも鉛直方向の下方に配置されている
ことを特徴とする請求項２〜請求項４の何れか一項に記載の排紙装置。
【請求項６】
前記収容位置にある前記排紙ストッパの前記第１延長部および前記第２延長部の少なくとも一方は、前記排紙方向における途中部に前記排紙トレイの前記用紙支持面よりも高い位置に配置される突出部を有し、
前記排紙トレイの前記基部は、前記突出部よりも前記排紙方向下流側に配置される
ことを特徴とする請求項２〜請求項５の何れか一項に記載の排紙装置。
【請求項７】
前記収容位置にある前記排紙ストッパの前記基部における前記第１領域は、平面視したときに前記排紙方向下流側へいくに従って前記幅方向の長さが小さくなる傾斜形状に形成される
ことを特徴とする請求項２〜請求項６の何れか一項に記載の排紙装置。
【請求項８】
前記突出位置にある前記用紙ストッパは、前記排紙トレイから前記排紙方向下流側へ向けて突出するように配置され、
前記第１延長部および前記第２延長部の少なくとも一方は、平面視したときに前記排紙方向下流側の幅が前記排紙方向上流側の幅よりも小さく形成されている
ことを特徴とする請求項１〜請求項７の何れか一項に記載の排紙装置。
【請求項９】
用紙に画像を形成する画像形成部と、
前記画像形成部により画像が形成された用紙を排紙する排紙装置とを備え、
前記排紙装置として、請求項１〜請求項８の何れか一項に記載の排紙装置を備えることを特徴とする画像形成装置。
【発明の詳細な説明】
【技術分野】
【０００１】
本発明は、排紙装置および画像形成装置に関する。
【背景技術】
【０００２】
従来、排紙された用紙を支持する排紙トレイと、排紙トレイに設けられ排紙された用紙と当接可能な排紙ストッパとを備えた排紙装置が知られている。
このような排紙装置においては、排紙ストッパは排紙方向と直交する幅方向の中央部に配置されており、排紙された用紙と当接することにより用紙が排紙トレイから飛び出すことを規制している。
【０００３】
例えば、特許文献１に開示される画像形成装置の排紙装置は、排紙トレイの幅方向中央部において回動軸を中心として回動可能に支持された排紙ストッパを備えており、排紙ストッパは排紙トレイから突出する位置に回動した際に排紙された用紙と当接するように構成されている。
【先行技術文献】
【特許文献】
【０００４】
【特許文献１】特開２００６−３３７５７０号公報
【発明の概要】
【発明が解決しようとする課題】
【０００５】
上記の構成においては、排紙ストッパは幅方向中央部に配置されているため、排紙された用紙をユーザが取り出す際には、ユーザは用紙の幅方向端部を掴んで取り出すことになる。このように、用紙の幅方向端部を掴んだときには、掴んだ用紙のバランスが悪くなるおそれがあり、用紙の掴み易さに改善の余地がある。
【０００６】
そこで、本発明においては、排紙ストッパを備える排紙装置およびこれを備える画像形成装置において、排紙された用紙に対するアクセスのし易さを向上することができる技術を提供する。
【課題を解決するための手段】
【０００７】
上記課題を解決する排紙装置および画像形成装置は、以下の特徴を有する。
即ち、画像形成装置（１）が備える排紙装置（５）は、用紙（Ｓ）を排紙する排紙ローラ（６）と、前記排紙ローラ（６）により排紙された用紙（Ｓ）を支持する排紙トレイ（２Ａ）と、前記排紙トレイ（２Ａ）における排紙方向下流側であって前記排紙方向と直交する幅方向中央部に前記排紙トレイ（２Ａ）から突出するように設けられ、前記排紙トレイ（２Ａ）に排紙された用紙（Ｓ）と当接可能な排紙ストッパ（７、１０７）とを備え、前記排紙ストッパ（７、１０７）は、前記排紙トレイ（２Ａ）に支持される基部（７１、１７１）と、前記基部（７１、１７１）における前記幅方向一端部から前記基部（７１、１７１）よりも上方に突出する第１延長部（７２、１７２）と、前記基部（７１、１７１）における前記幅方向他端部から前記基部（７１、１７１）よりも上方に突出する第２延長部（７３、１７３）とを有し、前記第１延長部（７２、１７２）と前記第２延長部（７３、１７３）との間にユーザがアクセス可能な隙間（Ｇ１、Ｇ２）を有している。
【発明の効果】
【０００８】
本発明によれば、排紙された用紙をユーザが取り出すときに用紙の幅方向中央部を掴み易くなる。これにより、排紙された用紙に対するユーザのアクセスのし易さを向上することができるとともに、ユーザが排紙された用紙の幅方向中央部を掴むことで掴んだ用紙のバランスが良くなり、掴んだ用紙を保持し易くなる。
【図面の簡単な説明】
【０００９】
【図１】第１実施形態に係る排紙ストッパを有した画像形成装置を示す斜視図であり、（ａ）は排紙ストッパが突出位置にある状態を示し、（ｂ）は排紙ストッパが収容位置にある状態を示している。
【図２】第１実施形態に係る排紙ストッパを有した画像形成装置を示す平面図であり、（ａ）は排紙ストッパが突出位置にある状態を示し、（ｂ）は排紙ストッパが収容位置にある状態を示している。
【図３】第１実施形態に係る排紙ストッパを示す正面図であり、（ａ）は排紙ストッパが突出位置にある状態を示し、（ｂ）は排紙ストッパが収容位置にある状態を示している。
【図４】第１実施形態に係る排紙ストッパを示す側面断面図であり、（ａ）は排紙ストッパが突出位置にある状態を示し、（ｂ）は排紙ストッパが収容位置にある状態を示している。
【図５】回動軸部を排紙トレイの収容面よりも下方に配置した排紙ストッパを示す側面断面図である。
【図６】第２実施形態に係る排紙ストッパを有した画像形成装置を示す斜視図であり、（ａ）は排紙ストッパが突出位置にある状態を示し、（ｂ）は排紙ストッパが収容位置にある状態を示している。
【図７】第２実施形態に係る排紙ストッパを有した画像形成装置を示す平面図であり、（ａ）は排紙ストッパが突出位置にある状態を示し、（ｂ）は排紙ストッパが収容位置にある状態を示している。
【図８】第２実施形態に係る排紙ストッパを示す正面図であり、（ａ）は排紙ストッパが突出位置にある状態を示し、（ｂ）は排紙ストッパが収容位置にある状態を示している。
【図９】第２実施形態に係る排紙ストッパを示す側面断面図であり、（ａ）は排紙ストッパが突出位置にある状態を示し、（ｂ）は排紙ストッパが収容位置にある状態を示している。
【図１０】第２実施形態に係る排紙ストッパにおける基部の第１領域を示す平面図である。
【発明を実施するための形態】
【００１０】
次に、本発明を実施するための形態を、添付の図面を用いて説明する。
【００１１】
[画像形成装置の概略構成]
図１、図２に示す画像形成装置１は、本発明に係る排紙装置を備えた画像形成装置の一実施形態である。
以下の説明においては、図１に示すように画像形成装置１が使用可能に設置された状態を基準として、前後、左右、上下の各方向を定める。
【００１２】
図１、図２に示すように、画像形成装置１は、筐体２と、用紙Ｓに画像を形成する画像形成部４と、画像形成装置４により画像が形成された用紙Ｓを筐体２の外部に排紙する排紙装置５とを備えている。画像形成部４の画像形成方式は特に限定されるものではなく、例えばレーザプリント方式やインクジェットプリント方式を採用することができる。
【００１３】
筐体２は、略直方体形状に形成される箱体であり、画像形成部４を収容している。排紙装置５は、排紙ローラ６、排紙トレイ２Ａ、および排紙ストッパ７を有している。排紙ローラ６および排紙トレイ２Ａは、筐体２の上部に設けられている。
【００１４】
排紙ローラ６は、前後方向において筐体２の後端部に配置されており、画像形成装置４により画像が形成された用紙Ｓを前方へ向けて搬送する。排紙トレイ２Ａは排紙ローラ６の前方に配置されており、排紙ローラ６により前方へ搬送された用紙Ｓは排紙トレイ２Ａに排紙される。つまり、用紙Ｓの排紙方向は前後方向となっており、排紙ローラ６は排紙トレイ２Ａに用紙Ｓを排紙する。
【００１５】
排紙トレイ２Ａは、筐体２の上面における後部から前方へ向かって上昇する傾斜面部２１と、傾斜面部２１の前方に配置される平面部２２とを有している。
排紙トレイ２Ａの平面部２２には、排紙トレイ２Ａに排紙された用紙Ｓと当接可能な排紙ストッパ７が設けられている。排紙ストッパ７は、排紙トレイ２Ａにおける排紙方向下流側であって、排紙方向と直交する幅方向の中央部に設けられている。
【００１６】
排紙ストッパ７は、排紙トレイ２Ａの平面部２２から排紙方向下流側に突出する突出位置（図１（ａ）、図２（ａ）に示す位置）と、排紙トレイ２Ａの平面部２２と重なる位置に収容される収容位置（図１（ｂ）、図２（ｂ）に示す位置）とに変位可能に構成されている。
【００１７】
排紙トレイ２Ａの平面部２２は、排紙トレイ２Ａに排紙された用紙Ｓを支持する用紙支持面２２ａと、用紙支持面２２ａよりも下方に凹陥した排紙ストッパ収容部２２ｂとを有している。収容位置に変位した排紙ストッパ７は、排紙ストッパ収容部２２ｂに収容される。突出位置に変位した排紙ストッパ７は、排紙トレイ２Ａの平面部２２から上方および排紙方向下流側へ向けて突出する。
【００１８】
排紙ローラ６によって排紙トレイ２Ａに排紙される用紙Ｓは、まず後部の傾斜面部２１に排紙され、その後用紙Ｓの前端部が突出位置に変位した排紙ストッパ７に達して当接する。排紙トレイ２Ａに排紙された用紙Ｓが突出位置に変位した排紙ストッパ７に当接することで用紙Ｓの動きが規制され、排紙された用紙Ｓが排紙トレイ２Ａから落下することが抑制されるとともに整列される。
【００１９】
［排紙ストッパの第１実施形態］
次に、第１実施形態に係る排紙ストッパ７について説明する。
図１〜図４に示すように、排紙ストッパ７は、基部７１と、第１延長部７２と、第２延長部７３とを有している。基部７１は排紙トレイ２Ａに支持されている。基部７１は左右方向外側に突出する回転軸部７１ａを有している。
【００２０】
回転軸部７１ａは排紙トレイ２Ａの平面部２２に回動可能に支持されており、排紙ストッパ７は回転軸部７１ａを中心として回動可能に構成されている。排紙ストッパ７は、回転軸部７１ａを中心として回動することにより、突出位置と収容位置との間で変位可能となっている。
【００２１】
第１延長部７２は、排紙ストッパ７が突出位置にあるときに、基部７１における幅方向左端部から基部７１よりも上方に突出している。第２延長部７３は、排紙ストッパ７が突出位置にあるときに、基部７１における幅方向右端部から基部７１よりも上方に突出している。基部７１における幅方向左端部は、基部における幅方向一端部の一例であり、基部７１における幅方向右端部は、基部における幅方向他端部の一例である。
排紙トレイ２Ａに排紙された用紙Ｓは、突出位置にある排紙ストッパ７の第１延長部７２および第２延長部７３に当接して支持される。
【００２２】
幅方向における第１延長部７２と第２延長部７３との間には、ユーザがアクセス可能な隙間Ｇ１が形成されている。隙間Ｇ１は、例えばユーザの手の指を隙間Ｇ１内に差し入れることができる程度の大きさに形成されている。これにより、ユーザが隙間Ｇ１内に手の指などを差し入れることで、突出位置にある排紙ストッパ７の第１延長部７２および第２延長部７３の上に排紙された用紙Ｓの左右中央部を掴んで取り出すことが可能になる。
【００２３】
つまり、第１延長部７２と第２延長部７３との間に隙間Ｇ１が形成されていることによって、排紙された用紙Ｓをユーザが取り出すときに用紙Ｓの幅方向中央部を掴み易くなっている。これにより、排紙された用紙Ｓに対するユーザのアクセスのし易さを向上することができるとともに、ユーザが排紙された用紙Ｓの幅方向中央部を掴むことで掴んだ用紙Ｓのバランスが良くなり、掴んだ用紙Ｓを保持し易くなる。
【００２４】
また、筐体２の排紙トレイ２Ａにおける排紙ストッパ７よりも排紙方向下流側端部には、切欠部２Ｂが形成されている。切欠部２Ｂは、筐体２の上端部における前面から排紙ストッパ収容部２２ｂにかけて形成されており、筐体２の幅方向中央部に配置されている。切欠部２Ｂは、幅方向において排紙ストッパ７の隙間Ｇ１の位置と対応する位置に配置されている。
【００２５】
このように、筐体２に切欠部２Ｂを形成することで、ユーザが排紙ストッパ７の隙間Ｇ１に指を差し入れる際に、切欠部２Ｂを通じて指を差し入れることが可能となる。これにより、排紙ストッパ７の隙間Ｇ１に指を差し入れ易くなり、排紙された用紙Ｓに対するユーザのアクセスのし易さをより向上することが可能となる。
【００２６】
基部７１は、排紙ストッパ７が突出位置にあるときに第１延長部７２と第２延長部７３との間に位置する基部７１の最も高い位置に配置される第１領域７１Ａを有している。第１領域７１Ａは、切欠部２Ｂの高さ位置と同じ高さ位置に配置されている（図４（ａ）参照）。
【００２７】
このように、基部７１の上端部に位置する第１領域７１Ａと筐体２の切欠部２Ｂとの高さ位置を同じ位置に形成することで、ユーザが排紙ストッパ７の隙間Ｇ１に指を差し入れる際に、切欠部２Ｂを通じて隙間Ｇ１に指を差し入れ易くなる。これにより、排紙された用紙Ｓに対するユーザのアクセスのし易さをより向上することが可能となる。
【００２８】
突出位置にある排紙ストッパ７の第１延長部７２および第２延長部７３は、平面視したときに排紙方向に沿って延出しており、排紙方向の上流側端部から下流側端部に至るまで幅方向の長さが同じ長さとなるように形成されている。また、第１延長部７２と第２延長部７３との間に形成される隙間Ｇ１は、排紙方向の上流側端部から下流側端部に至るまで幅方向の大きさが同じ大きさとなっている。
【００２９】
また、排紙ストッパ７は、回転軸部７１ａを中心として回動可能に構成されており、例えば収容位置にある排紙ストッパ７をユーザが回動操作することによって、容易に突出位置に変位させることが可能である。
【００３０】
図４に示すように、排紙トレイ２Ａの平面部２における排紙ストッパ収容部２２ｂは、収容位置にある排紙ストッパ７の第１延長部７２および第２延長部７３と対向する収容面２２ｃを有している。収容面２２ｃは、排紙ストッパ収容部２２ｂの底面を構成している。
【００３１】
排紙ストッパ７の回動軸部７１ａは、上下方向において収容面２２ｃと用紙支持面２２ａとの間に配置されている。これにより、排紙ストッパ７が収容位置にあるときに、第１延長部７２および第２延長部７３の上面が用紙支持面２２ａから上方に突出しないように構成することが可能となっている。このように、第１延長部７２および第２延長部７３の上面が用紙支持面２２ａから突出しないように構成することで、排紙ストッパ７が収容位置にあるときに排紙トレイ２Ａに排紙された用紙Ｓが排紙ストッパ７に引っ掛かることを抑制することが可能となる。
【００３２】
また、図５に示すように、排紙ストッパ７の回動軸部７１ａは、収容面２２ｃよりも鉛直方向の下方に配置することも可能である。このように、回動軸部７１ａを収容面２２ｃよりも下方に配置した場合も、排紙ストッパ７が収容位置にあるときの第１延長部７２および第２延長部７３の上面が用紙支持面２２ａから上方に突出しないように構成することができる。
【００３３】
さらに、回動軸部７１ａを収容面２２ｃの下方に配置すると、排紙ストッパ７を突出位置に変位させたときに回動軸部７１ａが収容面２２ｃから上方へ突出しないため、排紙ストッパ７と収容面２２ｃとの間に回動軸部７１ａによる段差が生じない。これにより、排紙ストッパ７を突出位置に変位させたときに、排紙された用紙Ｓが排紙ストッパ収容部２２ｂ内に進入して排紙ストッパ７と収容面２２ｃとの間の段差に引っ掛かることを抑制でき、排紙された用紙Ｓの整列を乱すことがない。
【００３４】
なお、本実施形態においては、排紙ストッパ収容部２２ｂの収容面２２ｃは、収容位置にある排紙ストッパ７の第１延長部７２および第２延長部７３の両方と対向しているが、収容面２２ｃは、第１延長部７２および第２延長部７３の一方と対向するように構成することもできる。
【００３５】
［排紙ストッパの第２実施形態］
次に、第２実施形態に係る排紙ストッパ１０７について説明する。
図６〜図９に示すように、排紙ストッパ１０７は、基部１７１と、第１延長部１７２と、第２延長部１７３とを有している。基部１７１は排紙トレイ２Ａに支持されている。基部１７１は左右方向外側に突出する回転軸部１７１ａを有している。
【００３６】
回転軸部１７１ａは排紙トレイ２Ａの平面部２２に回動可能に支持されており、排紙ストッパ１０７は回転軸部１７１ａを中心として回動可能に構成されている。排紙ストッパ１０７は、回転軸部１７１ａを中心として回動することにより、突出位置と収容位置との間で変位可能となっている。
【００３７】
突出位置にある排紙ストッパ１０７は排紙トレイ２Ａの平面部２２から上方および排紙方向下流側へ向けて突出しており（図６（ａ）、図７（ａ）参照）、収容位置にある排紙ストッパ１０７は排紙トレイ２Ａの平面部２２と重なる位置に収容されている（図６（ｂ）、図７（ｂ）参照）。具体的には、収容位置に変位した排紙ストッパ１０７は、排紙ストッパ収容部２２ｂに収容されている。
【００３８】
第１延長部１７２は、排紙ストッパ１０７が突出位置にあるときに、基部１７１における幅方向左端部から基部１７１よりも上方に突出している。第２延長部１７３は、排紙ストッパ１０７が突出位置にあるときに、基部１７１における幅方向右端部から基部１７１よりも上方に突出している。基部１７１における幅方向左端部は、基部における幅方向一端部の一例であり、基部１７１における幅方向右端部は、基部における幅方向他端部の一例である。
【００３９】
排紙トレイ２Ａに排紙された用紙Ｓは、突出位置にある排紙ストッパ１０７の第１延長部１７２および第２延長部１７３に当接して支持される。排紙トレイ２Ａに排紙された用紙Ｓが突出位置に変位した排紙ストッパ１０７に当接することで用紙Ｓの動きが規制され、排紙された用紙Ｓが排紙トレイ２Ａから落下することが抑制されるとともに整列される。
【００４０】
幅方向における第１延長部１７２と第２延長部１７３との間には、ユーザがアクセス可能な隙間Ｇ２が形成されている。隙間Ｇ２は、例えばユーザの手の指を隙間Ｇ２内に差し入れることができる程度の大きさに形成されている。これにより、ユーザが隙間Ｇ２内に手の指などを差し入れることで、突出位置にある排紙ストッパ１０７の第１延長部１７２および第２延長部１７３の上に排紙された用紙Ｓの左右中央部を掴んで取り出すことが可能になる。
【００４１】
つまり、第１延長部１７２と第２延長部１７３との間に隙間Ｇ２が形成されていることによって、排紙された用紙Ｓをユーザが取り出すときに用紙Ｓの幅方向中央部を掴み易くなっている。これにより、排紙された用紙Ｓに対するユーザのアクセスのし易さを向上することができるとともに、ユーザが排紙された用紙Ｓの幅方向中央部を掴むことで掴んだ用紙Ｓのバランスが良くなり、掴んだ用紙Ｓを保持し易くなる。
【００４２】
突出位置にある排紙ストッパ１０７の第１延長部１７２は、平面視したときに排紙トレイ２Ａから排紙方向下流側向けて突出するように配置されており、排紙方向に沿って延出し隙間Ｇ２に隣接する第１隣接面１７２ａを有している。第１隣接面１７２ａは排紙方向下流側へいくに従って左右方向外側へ向かう方向に傾斜しており、第１延長部１７２は排紙方向の上流側から下流側へいくに従って幅方向の長さが小さくなるように形成されている。
【００４３】
突出位置にある排紙ストッパ１０７の第２延長部１７３は、平面視したときに排紙トレイ２Ａから排紙方向下流側向けて突出するように配置されており、排紙方向に沿って延出し隙間Ｇ２に隣接する第２隣接面１７３ａを有している。第２隣接面１７３ａは排紙方向下流側へいくに従って左右方向外側へ向かう方向に傾斜しており、第２延長部１７３は排紙方向の上流側から下流側へいくに従って幅方向の長さが小さくなるように形成されている。
【００４４】
このように、第１延長部１７２および第２延長部１７３は、平面視したときに排紙方向下流側の部分の幅が、排紙方向上流側の部分の幅よりも小さく形成されている。
また、第１延長部１７２の第１隣接面１７２ａと第２延長部１７３の第２隣接面１７３ａとの間に形成される隙間Ｇ２は、排紙方向の上流側から下流側へいくに従って幅方向の大きさが大きくなっている。
【００４５】
つまり、第１延長部１７２および第２延長部１７３を、排紙方向下流側の幅が排紙方向上流側の幅よりも小さくなるように形成することで、隙間Ｇ２の幅方向の大きさを排紙方向の上流側から下流側へいくに従って大きくすることが可能となっている。これにより、排紙された用紙Ｓにアクセスするユーザに近い側の隙間Ｇ２を大きくすることができ、用紙Ｓに対するユーザのアクセスのし易さを向上することが可能となっている。
【００４６】
また、第１延長部１７２および第２延長部１７３における幅方向の外側面を、排紙方向下流側へいくに従って幅方向内側へ傾斜する傾斜面に傾斜することで、第１延長部１７２および第２延長部１７３の幅方向の大きさを、より排紙方向の上流側から下流側へいくに従って小さくなるように形成することができる。
【００４７】
さらに、第１延長部１７２および第２延長部１７３の幅方向外側面を、排紙方向下流側へいくに従って幅方向内側へ傾斜する傾斜面に形成することで、ユーザが第１延長部１７２および第２延長部１７３の幅方向外側面に幅方向から当たった場合に、前記幅方向外側面の形状によって、ユーザから排紙ストッパ１０７に加えられた力が排紙ストッパ１０７を収容位置に変位させる方向の力に変換されるようになる。従って、ユーザが突出位置にある排紙ストッパ１０７の第１延長部１７２および第２延長部１７３における幅方向外側面に当たった場合には、排紙ストッパ１０７が収容位置に変位して、排紙ストッパ１０７が破損することを抑制できる。
【００４８】
なお、本実施形態においては、第１延長部１７２および第２延長部１７３の両方を、排紙方向下流側の幅が排紙方向上流側の幅よりも小さくなるように形成しているが、第１延長部１７２および第２延長部１７３の一方を、排紙方向下流側の幅が排紙方向上流側の幅よりも小さくなるように形成することもできる。
【００４９】
基部１７１は、排紙ストッパ１０７が突出位置にあるときに第１延長部１７２と第２延長部１７３との間に位置する基部１７１の最も高い位置に配置される第１領域１７１Ａを有している。図９（ａ）に示すように、突出位置にある排紙ストッパ１０７において、第１領域１７１Ａは、回動軸部１７１ａよりも高い位置、かつ排紙トレイ２Ａの用紙支持面２２ａよりも高い位置に位置している。つまり、基部１７１の第１領域１７１Ａは第１延長部１７２および第２延長部１７３の延出方向において回動軸部１７１ａから離れた位置にあり、基部１７１は排紙ストッパ１０７が突出位置にあるときに用紙支持面２２ａよりも上方に突出している。
【００５０】
このように構成される排紙ストッパ１０７は、例えば収容位置にある排紙ストッパ１０７をユーザが回転軸部１７１ａを中心とした回動操作を行うことによって、容易に突出位置に変位させることが可能である。
【００５１】
また、排紙ストッパ１０７における基部１７１の第１領域１７１Ａは回動軸部１７１ａから離れた位置にあるため、排紙ストッパ１０７を回動させて収容位置から突出位置に立ち上げるときに、基部１７１の第１領域１７１Ａに指を引っかけ易いとともに、小さな力で排紙ストッパ１０７を突出位置に立ち上げ易くなっている。
【００５２】
図８（ａ）、図９（ａ）に示すように、排紙トレイ２Ａは、排紙ストッパ１０７が突出位置にあるときの第１領域１７１Ａよりも排紙方向下流側に配置され、排紙方向上流側に向けて高くなる傾斜面２３を有している。傾斜面２３において最も高い位置に配置される第２領域２３Ａは、第１領域１７１Ａよりも高い位置に位置している。第２領域２３Ａは、排紙方向において、傾斜面２３の上流側端部に位置している。
【００５３】
突出位置にある排紙ストッパ１０７の第１領域１７１Ａは、排紙トレイ２Ａの用紙支持面２２ａよりも高い位置にあるため、ユーザが第１延長部１７２と第２延長部１７３との間の隙間Ｇ２に指を入れたときに第１領域１７１Ａに接触して排紙ストッパ１０７が収容位置側に倒れるおそれがある。しかし、排紙トレイ２Ａに第１領域１７１Ａよりも高い位置にある第２領域２３Ａを有した傾斜面２３を設けることで、隙間Ｇ２に入れた指が傾斜面２３によって第１領域１７１Ａに触れない高さまで案内される。従って、用紙Ｓに対するユーザのアクセスのし易さに悪影響を与えることがない。
【００５４】
図７（ｂ）、図８（ｂ）、図９（ｂ）に示すように、収容位置にある排紙ストッパ１０７の第１延長部１７２および第２延長部１７３は、それぞれ排紙方向の途中部に排紙トレイ２Ａの用紙支持面２２ａよりも高い位置に配置される突出部１７２Ａ、１７３Ａを有している。また、収容位置にある排紙ストッパ１０７の基部１７１は、突出部１７２Ａ、１７３Ａよりも排紙方向下流側に配置されている。
【００５５】
このように、第１延長部１７２および第２延長部１７３が突出部１７２Ａ、１７３Ａを有していることで、収容位置にある排紙ストッパ１０７の上に用紙Ｓが排紙された場合に、用紙Ｓが突出部１７２Ａ、１７３Ａによって用紙支持面２２ａから浮いた状態となって、用紙Ｓと用紙支持面２２ａとの間に隙間Ｇｓができる。これにより、ユーザは用紙Ｓと用紙支持面２２ａとの間の隙間Ｇｓに指を差し入れることが可能となり、用紙Ｓを取り出し易くなっている。
【００５６】
また、排紙ストッパ１０７の基部１７１は、突出部１７２Ａ、１７３Ａの最も高い位置にある箇所よりも排紙方向下流側に位置しているため、収容位置にある排紙ストッパ１０７に排紙された用紙Ｓは、基部１７１の第１領域１７１Ａよりも排紙方向上流側かつ高い位置で第１延長部１７２および第２延長部１７３によって支持されることになる。これにより、収容位置にある排紙ストッパ１０７に排紙される用紙Ｓが基部１７１の第１領域１７１Ａに引っ掛かることを抑制でき、用紙Ｓを円滑に排紙することが可能となっている。
【００５７】
なお、本実施形態においては、第１延長部１７２および第２延長部１７３の両方が突出部１７２Ａ、１７３Ａを有しているが、第１延長部１７２および第２延長部１７３の一方が突出部１７２Ａ、１７３Ａを有している構成とすることも可能である。
【００５８】
また、図６（ｂ）、図９（ｂ）に示すように、収容位置にある排紙ストッパ１０７において、第１延長部１７２の先端部１７２ｂおよび第２延長部１７３の先端部１７３ｂは、排紙ストッパ収容部２２ｂに収容されており、排紙トレイ２Ａの用紙支持面２２ａから上方に突出していない。このように、第１延長部１７２の先端部１７２ｂおよび第２延長部１７３の先端部１７３ｂが排紙トレイ２Ａの用紙支持面２２ａから上方に突出していないことにより、排紙トレイ２Ａに排紙される用紙Ｓが排紙ストッパ１０７に引っかかることがなく、用紙Ｓを円滑に排紙することが可能となっている。
【００５９】
また、図７（ｂ）に示すように、収容位置にある排紙ストッパ１０７の基部１７１における第１領域１７１Ａは、平面視したときに排紙方向下流側へいくに従って幅方向の長さが小さくなる傾斜形状に形成されている。例えば、図１０に示すように、排紙宝方向下流側における第１領域１７１Ａの幅方向の長さＷ２は、排紙方向上流側における第１領域１７１Ａの長さＷ１よりも小さくなっている。
【００６０】
このように、第１領域１７１Ａを排紙方向下流側へいくに従って幅方向の長さが小さくなる傾斜形状に形成することで、収容位置にある排紙ストッパ１０７に摺接しながら排紙される用紙Ｓが第１領域１７１Ａまで到達すると、用紙Ｓには第１領域１７１Ａの形状によって上方へ押し上げられる方向の力が作用する。これにより、用紙Ｓが基部１０７の第１領域１７１Ａに引っかかることを抑制でき、用紙Ｓをより円滑に排紙することが可能となっている。
【００６１】
[本実施形態における効果]
本実施形態においては、排紙装置５を備えた画像形成装置１は、上述のように構成されている。
つまり、画像形成装置１の排紙装置５は、排紙ローラ６と、排紙トレイ２Ａと、排紙ストッパ７とを備えている。排紙ローラ６は、用紙Ｓを排紙する。排紙トレイ２Ａは、排紙ローラ６により排紙された用紙Ｓを支持する。排紙ストッパ７は、排紙トレイ２Ａにおける排紙方向下流側であって排紙方向と直交する幅方向中央部に排紙トレイ２Ａから突出するように設けられ、排紙トレイ２Ａに排紙された用紙Ｓと当接可能である。排紙ストッパ７は、排紙トレイ２Ａに支持される基部７１と、基部７１における幅方向左端部から基部７１よりも上方に突出する第１延長部７２と、基部７１における幅方向右端部から基部７１よりも上方に突出する第２延長部７３とを有し、第１延長部７２と第２延長部７３との間にユーザがアクセス可能な隙間Ｇ１を有している。
【００６２】
このように、第１延長部７２と第２延長部７３との間に隙間Ｇ１が形成されていることによって、排紙された用紙Ｓをユーザが取り出すときに用紙Ｓの幅方向中央部を掴み易くなる。これにより、排紙された用紙Ｓに対するユーザのアクセスのし易さを向上することができるとともに、ユーザが排紙された用紙Ｓの幅方向中央部を掴むことで掴んだ用紙Ｓのバランスが良くなり、掴んだ用紙Ｓを保持し易くなる。
【００６３】
また、基部７１は、排紙トレイ２Ａに回動可能に支持される回転軸部７１ａを有し、排紙ストッパ７は、回転軸部７１ａを中心として回動することにより、排紙トレイ２Ａから排紙方向下流側に突出する突出位置と、排紙トレイ２Ａと重なる位置に収容される収容位置とに変位可能である。
これにより、例えば収容位置にある排紙ストッパ７をユーザが回動操作することによって、容易に突出位置に変位させることが可能である。
【００６４】
また、排紙ストッパ１０７が突出位置にあるときに、第１延長部１７２と第２延長部１７３との間に位置する基部１７１の最も高い位置に配置される第１領域１７１Ａは、回動軸部１７１ａよりも高い位置かつ排紙トレイ２Ａの用紙支持面２２ａよりも高い位置にある。
これにより、排紙ストッパ１０７を回動させて収容位置から突出位置に立ち上げるときに、基部１７１の第１領域１７１Ａに指を引っかけ易いとともに、小さな力で排紙ストッパ７を突出位置に立ち上げ易い。
【００６５】
また、排紙トレイ２Ａは、排紙ストッパ１０７が突出位置にあるときの第１領域１７１Ａよりも排紙方向下流側に配置され排紙方向上流側に向けて高くなる傾斜面２３を有し、傾斜面２３において最も高い位置に配置される第２領域２３Ａは、第１領域１７１Ａよりも高い位置にある。
これにより、隙間Ｇ２に入れた指が傾斜面２３によって第１領域１７１Ａに触れない高さまで案内され、用紙Ｓに対するユーザのアクセスのし易さに悪影響を与えることがない。
【００６６】
また、排紙トレイ２Ａは、収容位置にある排紙ストッパ７の第１延長部７２と対向する収容面２２ｃを有し、排紙ストッパ７の回動軸部７１ａは、収容面２２ｃよりも鉛直方向の下方に配置されている。
これにより、排紙ストッパ７を突出位置に変位させたときに回動軸部７１ａが収容面２２ｃから上方へ突出しないため、排紙ストッパ７を突出位置に変位させたときに、排紙された用紙Ｓが排紙ストッパ７と収容面２２ｃとの間の段差に引っ掛かることを抑制でき、排紙された用紙Ｓの整列を乱すことがない。
【００６７】
また、収容位置にある排紙ストッパ１０７の第１延長部１７２および第２延長部１７３の少なくとも一方は、排紙方向における途中部に排紙トレイ２Ａの用紙支持面２２ａよりも高い位置に配置される突出部１７２Ａ、１７３Ａを有し、排紙トレイ１０７の基部１７１は、突出部１７２Ａ、１７３Ａよりも排紙方向下流側に配置される。
これにより、収容位置にある排紙ストッパ１０７の上に用紙Ｓが排紙された場合に、用紙Ｓと用紙支持面２２ａとの間に隙間Ｇｓができるため、ユーザは用紙Ｓと用紙支持面２２ａとの間の隙間Ｇｓに指を差し入れることが可能となり、用紙Ｓを取り出し易くなる。また、収容位置にある排紙ストッパ１０７に排紙される用紙Ｓが基部１７１の第１領域１７１Ａに引っ掛かることを抑制でき、用紙Ｓを円滑に排紙することが可能である。
【００６８】
また、収容位置にある排紙ストッパ１０７の基部１７１における第１領域１７１Ａは、平面視したときに排紙方向下流側へいくに従って幅方向の長さが小さくなる傾斜形状に形成される。
これにより、用紙Ｓが基部１０７の第１領域１７１Ａに引っかかることを抑制でき、用紙Ｓをより円滑に排紙することが可能である。
【００６９】
また、突出位置にある用紙ストッパ１０７は、排紙トレイ２Ａから排紙方向下流側へ向けて突出するように配置され、第１延長部１７２および第２延長部１７３の少なくとも一方は、平面視したときに排紙方向下流側の幅が排紙方向上流側の幅よりも小さく形成されている。
これにより、排紙された用紙Ｓにアクセスするユーザに近い側の隙間Ｇ２を大きくすることができ、用紙Ｓに対するユーザのアクセスのし易さを向上することが可能である。
【符号の説明】
【００７０】
１    画像形成装置
２    筐体
２Ａ  排紙トレイ
４    画像形成部
５    排紙装置
６    排紙ローラ
７、１０７  排紙ストッパ
２２    平面部
２２ａ  用紙支持面
２２ｃ  収容面
２３    傾斜面
２３Ａ  第２領域
７１、１７１  基部
７１Ａ、１７１Ａ  第１領域
７１ａ、１７１ａ  回動軸部
７２、１７２  第１延長部
７３、１７３  第２延長部
１７２Ａ、１７３Ａ  突出部
Ｇ１、Ｇ２  隙間
Ｇｓ    隙間
Ｓ    用紙
Ｗ    幅方向の寸法
【図１】
2020117383.tif 000003
【図２】
2020117383.tif 000004
【図３】
2020117383.tif 000005
【図４】
2020117383.tif 000006
【図５】
2020117383.tif 000007
【図６】
2020117383.tif 000008
【図７】
2020117383.tif 000009
【図８】
2020117383.tif 000010
【図９】
2020117383.tif 000011
【図１０】
2020117383.tif 000012